(57)【要約】      （修正有）【課題】ＩＣカードで購入した投票券情報の精算時に未確定レースがあっても、未確定レースの投票券情報を有効に活用可能とする。【解決手段】ＩＣカードに対し情報を記録再生するカードリーダライタ１８ａ、現金を入出金する入出金機１６、投票券を発券する発売機２０ａ、これらを接続して管理する受付端末１４、受付端末１４からの情報に基づいて利用者登録、投票及び精算を処理するサーバ１２ａを備え、サーバ１２ａに、利用者の個人投票管理情報をデータベース１５に登録してカードの発行を受付端末１４に指示する利用者登録部３８と、入力された投票データをデータベース１５に登録する投票処理部４０と、データベース１５の投票データに基づき確定済みレースの払戻金を算出して現金支払い処理を受付端末１４に指示する共に、未確定レースがある場合に、未確定レースの投票券の発券処理を発売機２０ａに指示する精算処理部４２を設ける。【選択図】図１
2005202728.tif 000002
【特許請求の範囲】
【請求項１】
情報を記憶するＩＣカード、磁気カード等のカードを用いたレース投票方法に於いて、
入力された利用者の個人データ及び入金データから個人投票管理情報を生成してデータベースに登録し、前記個人投票管理情報を記録したカードを発行する利用者登録ステップと、
前記カードの個人投票管理情報を読取って認証が得られた状態で、入力された投票データを前記データベースに前記個人投票管理情報と対応付けて登録する投票処理ステップと、
前記カードの個人投票管理情報を読取って認証が得られた状態で、前記データベースの投票データに基づき確定済みレースの払戻金を算出して現金支払い処理を行うと共に、未確定レースがある場合に、未確定レースの投票券の発券処理を行う精算処理ステップと、
を備えたことを特徴とするレース投票方法。
【請求項２】
請求項１記載のレース投票方法に於いて、前記データベースに登録される個人投票管理情報は、管理番号、精算の有無、入金データなどを含み、前記利用者登録ステップは、前記カードに個人投票管理情報として少なくとも管理番号と暗証番号を記録してカードを発行することを特徴とするレース投票方法。
【請求項３】
コンピュータに、
入力された利用者の個人データ及び入金データから個人投票管理情報を生成してデータベースに登録し、前記個人投票管理情報を記録したカードを発行する利用者登録ステップと、
前記カードの個人投票管理情報を読取って認証が得られた状態で、入力された投票データを前記データベースに前記個人投票管理情報と対応付けて登録する投票処理ステップと、
前記カードの個人投票管理情報を読取って認証が得られた状態で、前記データベースの投票データに基づき確定済みレースの払戻金を算出して現金支払い処理を行うと共に、未確定レースがある場合に、未確定レースの投票券の発券処理を行う精算処理ステップと、
を実行させることを特徴とするプログラム。
【請求項４】
ＩＣカード、磁気カード等のカードに対し情報を記録再生するカードリーダライタと、
現金を入出金する入出金機と、
投票券を発券する発売機と、
前記カードリーダライタ、入出金機及び発売機を端末として接続して管理する受付端末と、
前記受付端末からの情報に基づいて利用者登録、投票及び精算を処理するサーバと、
を備えたレース投票システムに於いて、
前記サーバに、
入力された利用者の個人データ及び入金データから個人投票管理情報を生成してデータベースに登録し、前記個人投票管理情報を記録したカードの発行を前記受付端末に指示する利用者登録部と、
前記カードの個人投票管理情報の読取りにより認証が得られた状態で、入力された投票データを前記データベースに前記個人投票管理情報に対応付けて登録する投票処理部と、
前記カードの個人投票管理情報を読取りにより認証が得られた状態で、前記データベースの投票データに基づき確定済みレースの払戻金を算出して現金支払い処理を前記受付端末に指示する共に、未確定レースがある場合に、未確定レースの投票券の発券処理を前記発売機に指示する精算処理部と、
を備えたことを特徴とするレース投票システム。
【請求項５】
ＩＣカード、磁気カード等のカードに対し情報を記録再生するカードリーダライタユニット、現金を入出金する入出金ユニット、及び投票券を発券する発売ユニットとを備えた投票券自動発売払戻機と、
前記受付端末からの情報に基づいて利用者登録、投票及び精算を処理するサーバと、
を備えたレース投票システムに於いて、
前記サーバに、
入力された利用者の個人データ及び入金データから個人投票管理情報を生成してデータベースに登録し、前記個人投票管理情報を記録したカードの発行を指示する利用者登録部と、
前記カードの個人投票管理情報の読取りにより認証が得られた状態で、入力された投票データを前記データベースに前記個人投票管理情報と対応付けて登録する投票処理部と、
前記カードの個人投票管理情報を読取りにより認証が得られた状態で、前記データベースの投票データに基づき確定済みレースの払戻金を算出して現金支払い処理を前記投票券自動発売払戻機に指示する共に、未確定レースがある場合に、未確定レースの投票券の発券処理を前記投票券自動発売払戻機に指示する精算処理部と、
を備えたことを特徴とするレース投票システム。
【発明の詳細な説明】
【技術分野】
【０００１】
本発明は、ＩＣカードや磁気カード等を用いたキャッシュレスによるレース投票方法、プログラム及びシステムに関し、特に未確定レースを含むレース投票データの精算処理が適切にできるレース投票方法、プログラム及びシステムに関する。
【背景技術】
【０００２】
近年、競輪、競馬などの公営競技にあっては、ＩＣカードや磁気カード等を用いたキャッシュレスによるレース投票システムの普及が始まっている。
【０００３】
現在のキャッシュレス投票システムは、例えば窓口で預け金を支払うことでＩＣカードの発行を受け、このＩＣカードをキャッシュレス投票端末に読み込ませた状態でレース投票を行い、レース終了後に窓口にＩＣカードを出して的中払戻金及び預り残額の精算を受けるようにしている。
【０００４】
また現在のキャッシュレス投票システムにあっては、システム側で投票券情報を管理しているため、利用者の投票券情報の後日繰越が不可能であり、このためＩＣカードにより購入した投票券情報については当日精算を基本としている。このためＩＣカードの利用者は、退場の際にＩＣカードを必ず窓口に提示して精算を受ける必要がある。
【特許文献１】特開２００３−０５０８９０号
【発明の開示】
【発明が解決しようとする課題】
【０００５】
しかしながら、このような従来のキャッシュレス投票システムにあっては、投票券情報当日精算を基本としていたため、利用者が投票したレースの途中で退場するような場合、ＩＣカードによる投票券情報の精算時点で未確定のレースがあると、未確定レースの投票券情報による未精算金が発生してしまい、減算処理等による金額精算処理を行わなければならず、処理が煩雑になるという問題点がある。
【０００６】
また利用者は、ＩＣカードにより投票したレースについては、レースが確定するまで会場に留まっていなければならず、途中退場すると未確定レースの投票券データを捨てる結果となり、これでは従来の有効期間を６０日とした投票券のほうが便利であり、ＩＣカードによるキャッシュレス投票システムの利点を十分に生かすことができない。このためキャッシュレス投票システムについて、競技施行者によっては例えば前売投票券や前日投票券の発売を控えてしまうという問題もある。
【０００７】
本発明は、ＩＣカードで購入した投票券情報の精算時に未確定レースがあっても、未確定レースの投票券情報を有効に活用可能としてキャッシュレス投票の問題を解消するレース投票方法、プログラム及びシステムを提供することを目的とする。
【課題を解決するための手段】
【０００８】
図１は本発明の原理説明図である。本発明は、情報を記憶するＩＣカード、磁気カード等のカードを用いたレース投票方法を提供する。このレース投票方法は、
入力された利用者の個人データ及び入金データから個人投票管理情報を生成してデータベース１５に登録し、個人投票管理情報を記録したカードを発行する利用者登録ステップと、
カードの個人投票管理情報を読取って認証が得られた状態で、入力された投票データをデータベース１５に個人投票管理情報と対応付けて登録する投票処理ステップと、
カードの個人投票管理情報を読取って認証が得られた状態で、データベースの投票データに基づき確定済みレースの払戻金を算出して現金支払い処理を行うと共に、未確定レースがある場合に、未確定レースの投票券の発券処理を行う精算処理ステップと、
を備えたことを特徴とする。
【０００９】
ここで、データベース１５に登録される個人投票管理情報は、管理番号、暗証番号、氏名、住所、精算の有無、入金データを含み、利用者登録ステップは、カードに個人投票管理情報として少なくとも管理番号と暗証番号を記録してカードを発行する。また投票処理ステップ及び精算ステップは、カードの読取りで得られた管理番号及び暗証番号とデータベースの管理番号及び暗証番号を照合して認証の有無を判別する。
【００１０】
本発明は、キャッシュレス投票サーバとして機能するコンピュータにより実行されるプログラムを提供する。このプログラムは、コンピュータ（サーバ１２ａ）に、
入力された利用者の個人データ及び入金データから個人投票管理情報を生成してデータベースに登録し、個人投票管理情報を記録したカードを発行する利用者登録ステップと、
カードの個人投票管理情報を読取って認証が得られた状態で、入力された投票データをデータベースに個人投票管理情報と対応付けて登録する投票処理ステップと、
カードの個人投票管理情報を読取って認証が得られた状態で、データベースの投票データに基づき確定済みレースの払戻金を算出して現金支払い処理を行うと共に、未確定レースがある場合に、未確定レースの投票券の発券処理を行う精算処理ステップと、
を実行させることを特徴とする。
【００１１】
本発明は、レース投票システムを提供する。即ち、本発明のレース投票システムは、ＩＣカード、磁気カード等のカードに対し情報を記録再生するカードリーダライタ１８ａと、現金を入出金する入出金機１６と、投票券を発券する発売機２０ａと、カードリーダライタ１８ａ、入出金機１６及び発売機２０ａを端末として接続して管理する受付端末１４と、受付端末１４からの情報に基づいて利用者登録、投票及び精算を処理するサーバ１２ａとを備えたレース投票システムに於いて、サーバ１２ａに、入力された利用者の個人データ及び入金データから個人投票管理情報を生成してデータベース１５に登録し、個人投票管理情報を記録したカードの発行を受付端末１４に指示する利用者登録部３８と、カードの個人投票管理情報の読取りにより認証が得られた状態で、入力された投票データをデータベース１５に個人投票管理情報に対応付けて登録する投票処理部４０と、カードの個人投票管理情報を読取りにより認証が得られた状態で、データベース１５の投票データに基づき確定済みレースの払戻金を算出して現金支払い処理を受付端末１４に指示する共に、未確定レースがある場合に、未確定レースの投票券の発券処理を発売機２０ａに指示する精算処理部４２とを備えたことを特徴とする。
【００１２】
本発明の別の形態にあっては、ＩＣカード、磁気カード等のカードに対し情報を記録再生するカードリーダライタユニット、現金を入出金する入出金ユニット、及び投票券を発券する発売ユニットとを備えた投票券自動発売払戻機３０と、投票券自動発売払戻機３０からの情報に基づいて利用者登録、投票及び精算を処理するサーバ１２ａとを備えたレース投票システムに於いて、サーバ１２ａに、入力された利用者の個人データ及び入金データから個人投票管理情報を生成してデータベース１５に登録し、個人投票管理情報を記録したカードの発行を指示する利用者登録部３８と、カードの個人投票管理情報の読取りにより認証が得られた状態で、入力された投票データをデータベース１５に個人投票管理情報と対応付けて登録する投票処理部４０と、カードの個人投票管理情報を読取りにより認証が得られた状態で、データベース１５の投票データに基づき確定済みレースの払戻金を算出して現金支払い処理を投票券自動発売払戻機３０に指示する共に、未確定レースがある場合に、未確定レースの投票券の発券処理を投票券自動発売払戻機３０に指示する精算処理部４２を備えたことを特徴とする。
【００１３】
なお、プログラム及びシステムの詳細は投票方法の場合と基本的に同じになる。
【発明の効果】
【００１４】
本発明によれば、ＩＣカードにより投票券を購入した利用者が精算する時点で未確定レースがあると、確定しているレースの投票データについては現金化して精算し、未確定レースについては、現金購入した投票券と等価値の投票券を発券することで、未確定レースの賭金を精算して払い戻すという特別な処理を不要とし、競技施行者側の処理負担を低減できる。
【００１５】
また利用者にとっては、未確定レースについては精算時に現金投票と等価値の投票券として受け取ることができるため、レース未確定の時点でも確定を待つことなく退場することができ、的中していれば後日レース場に来場した時点で現金化が可能となり、ＩＣカードで購入した投票情報を全て有効に活用することができる。
【００１６】
更に、精算時の未確定レースの問題が解消されることで、キャッシュレス投票システムについて競技施行者側は、前売投票券や前日投票券等の発売を推進することができる。
【発明を実施するための最良の形態】
【００１７】
図２は、本発明によるレース投票システムのシステム構成を示した説明図である。図２において、本発明のレース投票システムは投票ホスト１０、キャッシュレス投票サーバ１２、受付端末１４、入出金機１６、ＩＣカードリーダライタ１８、有人発売払戻機２０、キャッシュレス投票端末２２、ＰＤＡ２８対応の無線ＬＡＮ装置２６、投票券自動発売払戻機３０で構成される。
【００１８】
投票ホスト１０は、投票券自動発売払戻機３０及びキャッシュレス投票サーバ１２を介してキャッシュレス投票端末２２から収集した投票データの集計処理、レース結果に基づく的中・不的中のデータ管理、投票券払戻要求に対する結果通知などの処理を行なう。
【００１９】
キャッシュレス投票サーバ１２は、会員カードとして発行されたＩＣカードやＰＤＡカードなどに記録された会員番号と暗証番号により対応づけられたデータベースを持ち、キャッシュレス投票端末２２からの投票データを集計管理するとともに、投票データを投票ホスト１０に送信する。またキャッシュレス投票サーバ１２に対しては受付端末１４が接続されており、受付端末１４からの払戻要求に対する投票ホスト１２との間の処理を中継する。
【００２０】
受付端末１４は入出力端末機器として入出金機１６、ＩＣカードリーダライタ１８及び有人発売払戻機２０を接続している。この受付端末１４は競技場の受付窓口の担当者の位置に設置されており、会員カードとしてのＩＣカードの発行と、ＩＣカードを利用して投票券の購入結果に対する精算処理を行なう。
【００２１】
即ち受付担当者は利用者から現金を受けた後、入出金機１６に現金を読み込ませ、預かり金額を計算する。同時に利用者の個人データとして氏名、住所、暗証番号などをキーボードなどで入力し、この預かり金データと個人データをキャッシュレス投票サーバ１２に送って個人投票管理情報としてデータベースに登録させる。データベースに対する個人投票管理情報の登録が済むと、ＩＣカードリーダライタ１８により会員カードとしてのＩＣカードを利用者に発行する。
【００２２】
キャッシュレス投票端末２２は受付端末１４側で発行されたＩＣカードを利用者が使用して投票券を購入する。キャッシュレス投票端末２２にはＩＣカードリーダ２４が設けられており、ここに発行されたＩＣカードを通して読み込ませるとカード読取データがキャッシュレス投票サーバ１２に送られ、そのデータベースの個人投票管理情報との照合による認証が行なわれ、認証ＯＫが取得されると画面の表示情報を使用してタッチパネルにより投票操作を行なうことができる。
【００２３】
投票操作により得られた投票データはキャッシュレス投票サーバ１２に送られてデータベースの対応する個人投票管理情報に登録され、更に投票ホスト１０に送られることになる。
【００２４】
尚、この実施形態にあっては、キャッシュレス投票端末２２と同じＬＡＮに無線ＬＡＮ装置２６を接続し、両者が保有しているＰＤＡ２８を使用してキャッシュレスによる投票券の購入ができるようにしている。ＰＤＡ２８には投票券購入のためのプログラム及び会員登録に基づく暗証番号、個人情報を記録して発行されたＰＡＤカード情報が予め登録され、無線ＬＡＮ装置２６を介してキャッシュレス投票サーバ１２にアクセスすることで投票操作を行なうことができる。
【００２５】
投票券自動発売払戻機３０は、従来の現金による投票券の発売機能と発売された投票券による払戻機能に加え、受付端末１４側で発行してＩＣカードによる投票券の購入と精算を可能としており、ＩＣカードを利用したキャッシュレス処理を可能とするためカードスロット３２が設けられている。尚、投票券自動発売払戻機３０に設置側には、窓口業務に使用する受付端末１４側に設けているのと同じ発売払戻機２０が設置されている。
【００２６】
また投票券自動発売払戻機３０は投票ホスト１０からのラインに直接接続されているが、ＩＣカードを使用した投票券の購入及び精算については投票ホスト１０側を経由してキャッシュレス投票サーバ１２に対し投票データを送ってそのデータベースに利用者ごとの投票データを登録して管理することになる。
【００２７】
図３は、図２のキャッシュレス投票サーバの機能構成を他の装置とともに示したブロック図である。図３において、キャッシュレス投票サーバ１２にはレース投票処理部３４と通信制御部３６が設けられる。レース投票処理部３４にはプログラム制御により実現される機能として利用者登録部３８、投票処理部４０及び精算処理部４２が設けられている。
【００２８】
またレース投票処理部３４に対してはデータベース１５が接続される。キャッシュレス投票サーバ１２に対しては通信制御部３６を介して受付端末１４、キャッシュレス投票端末２２、投票券自動発売払戻機３０さらに投票ホスト１０が接続されている。
【００２９】
キャッシュレス投票サーバ１２のレース投票処理部３４に設けている利用者登録部３８は、受付端末１４側から入力された利用者の個人データ及び入金データから個人投票管理情報を作成してデータベース１５に登録し、受付端末１４に対し登録済みの個人投票管理情報の中の例えば管理番号と暗証番号を記録したＩＣカードを会員カードして発行する処理を指示する。
【００３０】
投票処理部４０はキャッシュレス投票端末２２または投票券自動発売払戻機３０によるＩＣカードの読取による個人投票管理情報をデータベース１５の登録情報と照合し、一致することによる認証ＯＫが得られた状態で、入力された投票データをデータベース１５に個人投票管理情報と対応づけて登録する。
【００３１】
精算処理部４２は、受付端末１４または投票券自動発売払戻機３０によるＩＣカードの読取で得られた個人投票管理情報を受け取り、データベース１５の登録情報との照合により認証ＯＫが得られた状態で、データベース１５に登録している投票データに基づき、確定済みのレースの払戻金を算出して現金支払の支持を受付端末１４または投票券自動発売払戻機３０側に対し行う。
【００３２】
これに加え本発明における精算処理部４２にあっては、データベース１５の投票データについて未確定レースがある場合には、受付端末１４及び投票券自動発売払戻機３０に対し現金購入による投票券と等価値の投票券の発券処理を指示する。
【００３３】
図４は、図３のデータベース１５の説明図である。データベース１５には図４（Ａ）の個人投票管理情報４４と図４（Ｂ）のレースデータ５０が格納されている。個人投票管理情報４４は、個人管理データ４６と投票データ４８で構成されている。個人管理データ４６には、この実施形態にあっては管理番号、暗証番号、氏名、住所、精算の有無、入金データが登録される。
【００３４】
また投票データ４８としてはレース番号、式別、番号、賭金額、確定の有無、払戻金、及び残金の各情報が登録される。一方、レースデータ５０としては開催場、年、回、日、レース番号、着順、式別毎の配当金が登録され、これらのレースデータは投票ホスト１０側から取得されている。
【００３５】
この例では管理番号「０００１」の利用者は投票データ４８に示すように４レースと６レースを購入しており、この時のレースデータ５０から４レースは確定済みであるが６レースは未確定となっている。このためこの時点で管理番号「０００１」の利用者がＩＣカードを受付端末１４の窓口に提出して精算をすると、確定済みの４レースについて払戻金５６０００円が計算されると同時に、未確定の６レースについては「３連単」「１−２−３」の内容を持つ現金購入した投票券と等価値の投票券が有人発売払戻機２０により発行され、これを受け取ることで後日未確定の６レースの結果につき的中した場合には払戻を受けることができる。
【００３６】
図５は、図２の投票券自動発売払戻機の概略構成のブロック図である。図５において、投票券自動発売払戻機３０は、インタフェース部５２、現金還流／放出部５４、投票カード読取部５６、投票券発売部５８、投票券読取部６０、印刷部６２、ＩＣ／磁気カード読取・書込部６４、表示部６６、入力部６８、スピーカ部７０、控券印刷部７２及び電源部７４を備え、投票券及びカードによる投票とその精算ができる。
【００３７】
図３におけるキャッシュレス投票サーバ１２は、例えば図６のようなコンピュータのハードウェア資源により実現される。図６のコンピュータにおいて、ＣＰＵ１００のバス１０１にはＲＡＭ１０２、ハードディスクコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０が接続される。
【００３８】
ハードディスクコントローラ１０４はハードディスクドライブ１０６を接続し、本発明のキャッシュレス投票処理を実行するプログラムをローディングしており、コンピュータの起動時にハードディスクドライブ１０６から必要なプログラムを呼び出して、ＲＡＭ１０２上に展開し、ＣＰＵ１００により実行する。
【００３９】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００４０】
マウスコントローラ１１８はマウス１２０の入力操作をＣＰＵ１００に伝える。キーボードコントローラ１２２はキーボード１２４の入力操作をＣＰＵ１００に伝える。ディスプレイコントローラ１２６は表示部１２８に対して表示を行う。通信用ボード１３０は無線を含む通信回線１３２を使用し、ＬＡＮを介してネットワーク内の装置との間で通信を行う。
【００４１】
図７は、本発明における利用者登録処理のフローチャートである。図７において、受付端末１４を操作するオペレータに対し利用者が現金を渡すと、オペレータは入出金機１６に現金を取り込ませる。これにより入出金機１６においてステップＳ１０１のように入金データのセットが行われ、これが受付端末１４に送られる。
【００４２】
受付端末１４は入出金機１６から入金データをステップＳ２０１で受信した後、ステップＳ２０２で利用者がオペレータに伝えた個人情報をキーボードにより入力した結果を受けて受付端末１４から入金データとともに個人投票管理情報をキャッシュレス投票サーバ１２に送信する。
【００４３】
キャッシュレス投票サーバ１２は、ステップＳ１で受付端末１４からの個人管理データ及び入金データを受信してデータベース１５に図４（Ａ）の個人投票管理情報４４に示すように登録する。続いてキャッシュレス投票サーバ１２はステップＳ２で図４（Ａ）のデータベースの個人投票管理情報４４における個人管理データ４６の中の「管理番号」「暗証番号」を受付端末１４を経由してＩＣカードリーダライタ１８に送信する。
【００４４】
ＩＣカードリーダライタ１８はステップＳ３０１で受信した管理番号と暗証番号からなる個人投票管理情報をＩＣカードに書き込んで書込済みのＩＣカードを発行する。続いてステップＳ３０２で書込完了通知を受付端末１４を経由してキャッシュレス投票サーバ１２に送信する。これを受けてキャッシュレス投票サーバ１２はステップＳ３で書込完了を確認し、会員カードとしてＩＣカードを発行するための一連の処理を終了する。
【００４５】
図８は、本発明におけるキャッシュレス投票処理のフローチャートである。図８において、会員カードとしてのＩＣカードの発行を受けた利用者は、キャッシュレス投票端末２２にＩＣカードをセットするとキャッシュレス投票端末２２はステップＳ１０１でＩＣカードのデータを読み込んで確認し、ステップＳ１０２で利用者本人のものであるかどうかの認証チェックのためＩＣカードの読取データをキャッシュレス投票サーバ１２に送信して認証チェック依頼を行なう。このキャッシュレス投票サーバ１２に送るＩＣカードのやり取りは例えば管理番号と暗証番号である。
【００４６】
キャッシュレス投票サーバ１２はステップＳ１でキャッシュレス投票端末２２から送られた読取データと図４のデータベースに登録されている個人投票管理情報４４との照合を行い、ステップＳ２で認証結果をキャッシュレス投票端末２２に送信する。認証結果の送信としては、データベース１５の登録データと一致すれば認証ＯＫを送信し、不一致であれば認証ＮＧを送信する。
【００４７】
キャッシュレス投票端末２２はステップＳ１０３でキャッシュレス投票サーバ１２から送られた認証結果をチェックし、認証ＮＧの場合は処理を終了させ、画面に「ＩＣカードが無効です」などの表示をさせる。認証ＯＫの場合にはステップＳ１０４に進み利用者が登録した投票データをセットする。投票データのセットが終了するとステップＳ１０５で投票データをキャッシュレス投票サーバ１２に送信する。
【００４８】
キャッシュレス投票サーバ１２は、キャッシュレス投票端末２２からの投票データを受信するとステップＳ３で投票ホスト１０に送信する。投票ホスト１０はキャッシュレス投票サーバ１２からの投票データを受信するとステップＳ２０１で投票データの処理を行い、投票受付の完了応答を返す。
【００４９】
続いてキャッシュレス投票サーバ１２はステップＳ４でデータベース１５に図４（Ａ）の投票データ４８に示すようにデータ登録を行なった後、ステップＳ５で投票完了通知をキャッシュレス投票端末２２に送信する。これを受けてキャッシュレス投票端末２２はステップＳ１０６で投票終了を確認し画面に投票終了を表示して利用者に通知する。
【００５０】
図９は、受付端末１４側における本発明の精算処理のフローチャートである。図９において、利用者は受付端末１４を操作しているオペレータにＩＣカードを渡すと、オペレータは受け取ったＩＣカードをＩＣカードリーダライタ１８にセットする。これによりＩＣカードリーダライタ１８はステップＳ１０１でＩＣカードのデータを確認した後、ステップＳ１０２でＩＣカードの読取データを受付端末１４を経由してキャッシュレス投票サーバ１２に送信する。
【００５１】
キャッシュレス投票サーバ１２にあっては、ステップＳ１でＩＣカードから読み取った受信データをデータベース１５の登録データと照合し、ステップＳ２で認証ＯＫか否か判別する。認証ＮＧの場合には処理を終了するが認証ＯＫの場合にはステップＳ３に進みデータベース１５の中の投票データを確認し、ステップＳ４で未精算の投票情報があるか否かチェックする。
【００５２】
未精算の投票情報がなければ処理を終了するが、未精算の投票情報がある場合にはステップＳ５に進み、確定済みの全レースの払戻金を計算し、精算金額を算出する。続いてステップＳ６で精算金の精算指示を受付端末１４を経由して入出金機１６に対し行い、ステップＳ２０で現金払出処理が行なわれ、処理結果が応答される。
【００５３】
次にキャッシュレス投票サーバ１２はステップＳ７で未確定レースがあるか否かチェックする。即ち図４に示すデータベース１５の個人投票管理情報４４の中の投票データ４４とレースデータ５０を照合し、未確定レースの有無をチェックする。未確定レースがあればステップＳ８に進み、データベース１５から未確定レースの投票情報を取り出してセットし、ステップＳ９で受付端末１４を経由して有人発売払戻機２０に対し未確定レースの投票券の発券処理を指示する。
【００５４】
これを受けて有人発売払戻機２０はステップＳ３０１で未確定レースについてレース前に購入すると同価値の投票券を発券する投票券発券処理を行なう。キャッシュレス投票サーバ１２は発売払戻機２０から発券処理の終了通知を受けると、ステップＳ１０でデータベースにおける個人管理データ４６の精算の有無を示すフラグを「済」に変更して処理を終了する。
【００５５】
尚、ステップＳ７で未確定レースがなかった場合にはステップＳ１０に進み、図４のデータベース１５における個人管理データ４６の精算の有無を示すフラグを同様に「済」に変更して処理を終了する。
【００５６】
図１０は、投票自動発売支払機による本発明の精算処理のフローチャートである。図１０の投票券自動発売払戻機３０による精算処理は、投票券自動発売払戻機３０側に図９に示したように受付端末側のＩＣカードリーダライタ１８、入出金機１６及び有人発売払戻機２０のそれぞれと同じ機能を持つユニットが設けられており、その結果、図１０の投票券自動発売払戻機３０のおけるステップＳ１０１〜１０４の処理は、図９におけるＩＣカードリーダライタ１８のステップＳ１，２の処理、入出金機１６におけるステップＳ２０１及び発売払戻機２０におけるステップＳ３０１の処理と同じになる。
【００５７】
一方、図１０におけるキャッシュレス投票サーバ１２側の処理は、図９の受付端末１４による精算処理の場合と同じステップＳ１〜１０の処理となる。特に投票券自動発売払戻機３０による精算処理についても、キャッシュレス投票サーバ１２はステップＳ１で未確定レースを判別した場合はステップＳ８で未確定レース情報をセットした後、ステップＳ９で未確定レースの発券処理を投票券自動発売払戻機３０に対し行い、これを受けてステップＳ１０４で未確定レースにつきレース前に購入すると等価値の投票券の発行が行なわれることになる。
【００５８】
図１１は、図３のキャッシュレス投票サーバ１２に対する投票ホスト１０からの投票結果反映処理のフローチャートである。図１１において、投票ホスト１０はまずステップＳ１０１でその日の最初のレース開始前にキャッシュレス投票サーバ１２に対し全レースの情報を送信し、これを受けてキャッシュレス投票サーバ１２はステップＳ１で受信したレース情報をデータベース１５のレースデータ５０として図４に示すように展開する。
【００５９】
レースが開始されると投票ホスト１０はステップＳ１０２でレース番号を設定し、ステップＳ１０３でキャッシュレス投票端末２２及び投票券自動発売払戻機３０からの投票データを受付け、ステップＳ１０４で投票データの受付を締め切った後、ステップＳ１０５でレースが行なわれてレース結果が確定されたことを判別すると、ステップＳ１０６でレース結果をキャッシュレス投票サーバ１２に送信する。
【００６０】
キャッシュレス投票サーバ１２は投票ホスト１０からのレース結果情報送信を割り込み処理として受付け、ステップＳ２で受信した結果情報を図４（Ｂ）のレースデータ５０に反映していく。このような投票ホスト１０における処理はステップＳ１０７で最終レース終了が判別するまでステップＳ１０２からレースごとに処理を繰り返すことになる。
【００６１】
尚、本発明はその目的を利点を損なうことのない適宜の変形を含み、また上記の実施形態に示した数値による限定は受けない。
【００６２】
ここで、本発明の特徴をまとめると以下の付記のようになる。
（付記１）
情報を記憶するＩＣカード、磁気カード等のカードを用いたレース投票方法に於いて、
入力された利用者の個人データ及び入金データから個人投票管理情報を生成してデータベースに登録し、前記個人投票管理情報を記録したカードを発行する利用者登録ステップと、
前記カードの個人投票管理情報を読取って認証が得られた状態で、入力された投票データを前記データベースに前記個人投票管理情報と対応付けて登録する投票処理ステップと、
前記カードの個人投票管理情報を読取って認証が得られた状態で、前記データベースの投票データに基づき確定済みレースの払戻金を算出して現金支払い処理を行うと共に、未確定レースがある場合に、未確定レースの投票券の発券処理を行う精算処理ステップと、
を備えたことを特徴とするレース投票方法。（１）
【００６３】
（付記２）
付記１記載のレース投票方法に於いて、前記データベースに登録される個人投票管理情報は、管理番号、暗証番号、精算の有無、入金データなどを含み、前記利用者登録ステップは、前記カードに個人投票管理情報として少なくとも管理番号を記録してカードを発行することを特徴とするレース投票方法。（２）
【００６４】
（付記３）
付記２記載のレース投票方法に於いて、前記投票処理ステップ及び精算処理ステップは、前記カードの読取りで得られた管理番号及び暗証番号と前記データベースの管理番号及び暗証番号を照合して認証の有無を判別することを特徴とするレース投票方法。
【００６５】
（付記４）
コンピュータに、
入力された利用者の個人データ及び入金データから個人投票管理情報を生成してデータベースに登録し、前記個人投票管理情報を記録したカードを発行する利用者登録ステップと、
前記カードの個人投票管理情報を読取って認証が得られた状態で、入力された投票データを前記データベースに前記個人投票管理情報と対応付けて登録する投票処理ステップと、
前記カードの個人投票管理情報を読取って認証が得られた状態で、前記データベースの投票データに基づき確定済みレースの払戻金を算出して現金支払い処理を行うと共に、未確定レースがある場合に、未確定レースの投票券の発券処理を行う精算処理ステップと、
を実行させることを特徴とするプログラム。（３）
【００６６】
（付記５）
ＩＣカード、磁気カード等のカードに対し情報を記録再生するカードリーダライタと、
現金を入出金する入出金機と、
投票券を発券する発売機と、
前記カードリーダライタ、入出金機及び発売機を端末として接続して管理する受付端末と、
前記受付端末からの情報に基づいて利用者登録、投票及び精算を処理するサーバと、
を備えたレース投票システムに於いて、
前記サーバに、
入力された利用者の個人データ及び入金データから個人投票管理情報を生成してデータベースに登録し、前記個人投票管理情報を記録したカードの発行を前記受付端末に指示する利用者登録部と、
前記カードの個人投票管理情報の読取りにより認証が得られた状態で、入力された投票データを前記データベースに前記個人投票管理情報に対応付けて登録する投票処理部と、
前記カードの個人投票管理情報を読取りにより認証が得られた状態で、前記データベースの投票データに基づき確定済みレースの払戻金を算出して現金支払い処理を前記受付端末に指示する共に、未確定レースがある場合に、未確定レースの投票券の発券処理を前記発売機に指示する精算処理部と、
を備えたことを特徴とするレース投票システム。（４）
【００６７】
（付記６）
ＩＣカード、磁気カード等のカードに対し情報を記録再生するカードリーダライタユニット、現金を入出金する入出金ユニット、及び投票券を発券する発売ユニットとを備えた投票券自動発売払戻機と、
前記受付端末からの情報に基づいて利用者登録、投票及び精算を処理するサーバと、
を備えたレース投票システムに於いて、
前記サーバに、
入力された利用者の個人データ及び入金データから個人投票管理情報を生成してデータベースに登録し、前記個人投票管理情報を記録したカードの発行を指示する利用者登録部と、
前記カードの個人投票管理情報の読取りにより認証が得られた状態で、入力された投票データを前記データベースに前記個人投票管理情報と対応付けて登録する投票処理部と、
前記カードの個人投票管理情報を読取りにより認証が得られた状態で、前記データベースの投票データに基づき確定済みレースの払戻金を算出して現金支払い処理を前記投票券自動発売払戻機に指示する共に、未確定レースがある場合に、未確定レースの投票券の発券処理を前記投票券自動発売払戻機に指示する精算処理部と、
を備えたことを特徴とするレース投票システム。（５）
【００６８】
（付記７）
付記５又は６記載のレース投票システムに於いて、前記データベースに登録される個人投票管理情報は、管理番号、暗証番号、、精算の有無、入金データを含み、前記利用者登録部は、前記カードに個人投票管理情報として少なくとも管理番号を記録したカードの発行を指示することを特徴とするレース投票システム。
【００６９】
（付記８）
付記５又は６記載のレース投票システムに於いて、前記投票処理部及び精算処理部は、前記カードの読取りで得られた管理番号及び暗証番号と前記データベースの管理番号及び暗証番号を照合して認証の有無を判別することを特徴とするレース投票システム。
【図面の簡単な説明】
【００７０】
【図１】本発明の原理説明図
【図２】本発明によるレース投票システムの説明図
【図３】図２のキャッシュレス投票サーバの機能構成のブロック図
【図４】図３のキャッシュレス投票サーバに設けたデータベースの説明図
【図５】図２の投票券自動発売払戻機の概略構成のブロック図
【図６】図３のキャッシュレス投票サーバが適用されるコンピュータのハードウェア環境の説明図
【図７】本発明における利用者登録処理のフローチャート
【図８】本発明におけるキャッシュレス投票処理のフローチャート
【図９】受付端末による本発明の精算処理のフローチャート
【図１０】投票券自動発売払戻機による本発明の精算処理のフローチャート
【図１１】図３のキャッシュレス投票サーバに対するレース結果反映処理のフローチャート
【符号の説明】
【００７１】
１０：投票ホスト
１２：キャッシュレス投票サーバ
１２ａ：サーバ
１４：受付端末
１５：データベース
１６：入出金機
１８：ＩＣカードリーダライタ
１８ａ：カードリーダライタ
２０：有人発売払戻機
２０ａ：発売機
２２：キャッシュレス投票端末
２４：ＩＣカードリーダ
２５：タッチパネル
２６：無線ＬＡＮ装置
２８：ＰＤＡ
３０：投票券自動発売払戻機
３２：カードスロット
３４：レース投票処理部
３６：通信制御部
３８：利用者登録部
４０：投票処理部
４２：精算処理部
４４：個人投票管理情報
４６：個人管理データ
４８：投票データ
５０：レースデータ
５１：主制御部
５２：インタフェース部
５４：現金還流／放出部
５６：投票カード読取部
５８：投票券発売部
６０：投票券読取部
６２：印刷部
６４：ＩＣ／磁気カード読取・書込部
６６：表示部
６８：入力部
７０：スピーカ部
７２：控券印刷部
７４：電源部
【図１】
2005202728.tif 000003
【図２】
2005202728.tif 000004
【図３】
2005202728.tif 000005
【図４】
2005202728.tif 000006
【図５】
2005202728.tif 000007
【図６】
2005202728.tif 000008
【図７】
2005202728.tif 000009
【図８】
2005202728.tif 000010
【図９】
2005202728.tif 000011
【図１０】
2005202728.tif 000012
【図１１】
2005202728.tif 000013